(57)【特許請求の範囲】
【請求項１】
装着時に着用者の腹側に配される腹側部と、前記着用者の背側に配される背側部と、前記着用者の股間に配される股下部とを有し、前記腹側部と前記背側部が横方向の外側の各端部にてそれぞれ溶着されており、前記横方向と交差する縦方向において互いに異なる位置に、胴回り開口部と一対の脚回り開口部とが形成されているパンツ型の吸収性物品であって、
前記端部には、少なくとも前記縦方向に非連続な溶着パターンに基づいて複数の溶着部が形成されており、
前記端部が、前記横方向の内側に位置する内側領域と、前記内側領域よりも前記横方向の外側に位置する外側領域とを有し、
前記端部のうちで前記胴回り開口部を起端とする前記縦方向の所定範囲には、前記内側領域において前記縦方向に隣り合う溶着部同士の間の隙間の前記縦方向の大きさが、前記外側領域において前記縦方向に隣り合う溶着部同士の間の隙間の前記縦方向の大きさよりも大きくなるように、溶着部が形成されており、
前記所定範囲における前記内側領域には、前記横方向の外側に進むに従って前記縦方向の前記脚回り開口部の方に変位した傾斜形状の部分を前記胴回り開口部側に有した溶着部が、前記縦方向に複数並んで形成されており、
前記外側領域は、前記内側領域に隣接して中領域を有し、
前記傾斜形状の部分を有した溶着部を第１溶着部とした場合に、
前記中領域には、第２溶着部と第３溶着部とが設けられており、
前記第２溶着部は、前記横方向の外側に進むに従って前記縦方向の前記脚回り開口部の方に変位した傾斜形状の部分を前記胴回り開口部側に有し、
前記第３溶着部は、前記横方向の外側に進むに従って前記縦方向の前記胴回り開口部の方に変位した傾斜形状の部分を前記胴回り開口部側に有し、
前記第２溶着部と前記第３溶着部とが互いに共同することによって、前記中領域には、前記横方向の外側に進むに従って前記縦方向に狭くなった先細り形状の領域が区画されており、
前記外側領域は、前記中領域よりも前記横方向の外側の位置に端領域を有し、
前記端領域には、第４溶着部が設けられており、
前記第４溶着部は、前記横方向の外側に進むに従って前記縦方向の前記胴回り開口部の方に変位した傾斜形状の部分を前記胴回り開口部側に有し、
前記第４溶着部は、前記第２溶着部が前記胴回り開口部側に有する前記傾斜形状の部分の延長線と交差するように設けられていることを特徴とするパンツ型の吸収性物品。
【請求項２】
請求項１に記載のパンツ型の吸収性物品であって、
前記第２溶着部が前記胴回り開口部側に有する傾斜形状の部分は、前記第１溶着部が前記胴回り開口部側に有する前記傾斜形状の部分に沿って設けられていることを特徴とするパンツ型の吸収性物品。
【請求項３】
請求項２に記載のパンツ型の吸収性物品であって、
前記第２溶着部が前記胴回り開口部側に有する前記傾斜形状の部分は、前記第１溶着部が前記胴回り開口部側に有する前記傾斜形状の部分と同じ形状であるとともに、当該第２溶着部と前記第１溶着部とは、互いの前記傾斜形状の部分が一直線上に揃うように前記横方向から傾きつつ前記横方向に並んで設けられていることを特徴とするパンツ型の吸収性物品。
【請求項４】
請求項１乃至３の何れかに記載のパンツ型の吸収性物品であって、
前記第４溶着部の前記傾斜形状の部分の傾斜の方が、前記第２溶着部が前記胴回り開口部側に有する前記傾斜形状の部分の傾斜よりも緩やかであることを特徴とするパンツ型の吸収性物品。
【請求項５】
請求項１乃至４の何れかに記載のパンツ型の吸収性物品であって、
前記第４溶着部が前記胴回り開口部側に有する前記傾斜形状の部分は、前記第３溶着部が前記胴回り開口部側に有する前記傾斜形状の部分に沿って設けられていることを特徴とするパンツ型の吸収性物品。
【請求項６】
請求項５に記載のパンツ型の吸収性物品であって、
前記第４溶着部が前記胴回り開口部側に有する前記傾斜形状の部分は、前記第３溶着部が前記胴回り開口部側に有する前記傾斜形状の部分と同じ形状であるとともに、当該第４溶着部と前記第３溶着部とは、互いの前記傾斜形状の部分が一直線上に揃うように前記横方向から傾きつつ前記横方向に並んで設けられていることを特徴とするパンツ型の吸収性物品。
【請求項７】
請求項１乃至６の何れかに記載のパンツ型の吸収性物品であって、
前記内側領域に形成されて前記傾斜形状の部分を有する前記溶着部を第１溶着部とした場合に、
前記内側領域には、前記胴回り開口部から前記脚回り開口部までの前記縦方向の全長に亘って、前記第１溶着部が、前記縦方向に複数並んで形成されていることを特徴とするパンツ型の吸収性物品。
【請求項８】
請求項１乃至７の何れかに記載のパンツ型の吸収性物品であって、
前記腹側部及び前記背側部には、それぞれ、弾性部材が前記横方向に伸長した状態で前記横方向に沿って固定されており、
前記溶着部のうちの幾つかの溶着部は、前記端部において前記弾性部材が位置しない部分に形成されていることを特徴とするパンツ型の吸収性物品。
【発明の詳細な説明】
【技術分野】
【０００１】
本発明は、尿等の排泄液を吸収するパンツ型の吸収性物品に関する。
【背景技術】
【０００２】
従来、尿等の排泄液を吸収する吸収性物品として、パンツ型の使い捨ておむつが使用されている。このおむつは、装着時に着用者の腹側に配される腹側部と、同着用者の背側に配される背側部と、同着用者の股間に配される股下部とを有する。そして、かかるおむつを股下部にて二つ折りして腹側部と背側部とを重ね合わせた状態で、腹側部と背側部とを横方向の各端部でそれぞれ溶着することにより、胴回り開口部と一対の脚回り開口部とが形成されたパンツ型のおむつの形にしてユーザーに提供される。
【先行技術文献】
【特許文献】
【０００３】
【特許文献１】特開２００８−２５３６３３号
【発明の概要】
【発明が解決しようとする課題】
【０００４】
図１Ａは、パンツ型のおむつ１’の横方向の端部１１ｅｓの概略拡大図である。 図１Ａに示すように、このおむつ１’にあっては、上述の腹側部１１ａと背側部１１ｂとの溶着に伴って、当該腹側部１１ａ及び背側部１１ｂの横方向の各端部１１ｅｓには、それぞれ複数の溶着部ｊ’，ｊ’…が形成されている。また、この例では、各溶着部ｊ’の形状は、横方向に長い横長矩形形状であるとともに、当該各溶着部ｊ’は、胴回り開口部１ＨＢの方から脚回り開口部１ＨＬの方へと一列に整列して設けられている。
【０００５】
そして、かかるパンツ型のおむつ１’を、排泄後に着用者から脱がす場合には、通常、胴回り開口部１ＨＢを起点としつつ上記端部１１ｅｓを横方向の内側から外側へと引き裂くことによって、腹側部１１ａと背側部１１ｂとを分離する。
【０００６】
ここで、このときの引き裂かれる方向を微視的に見てみると、図１Ａに示すように、横方向には外側を向きつつ、縦方向には脚回り開口部１ＨＬの方たる下方を向いている。そのため、作業者の手から胴回り開口部１ＨＢに付与される横方向の外向きの力Ｆが、自然に当該端部１１ｅｓにおいて上記の引き裂かれる方向を向くように誘導されれば、同端部１１ｅｓを引き裂き易くなるものと考えられる。また、特に、引き裂き始めに大きな力Ｆを要することから、引き裂き始めが肝心であり、そして、かかる引き裂き始めにうまく引き裂けてしまえば、たいていの場合は、そのまま付いた勢いで最後まで問題無く引き裂き終えることができる。
【０００７】
一方、通常、溶着部ｊ’の強度は、その周囲の部分と比べて高くなっていることから、引き裂くための力は、主に溶着部ｊ’とその周囲の部分との境界に集中して作用し易い。つまり溶着部ｊ’の周縁部に集中して作用し易い。そのため、仮に、溶着部ｊ’における胴回り開口部１ＨＢ側の部分ｊｕ’の形状が、図１Ｂのように、横方向の外側に進むに従って縦方向の脚回り開口部１ＨＬの方たる下方に変位した傾斜形状になっていれば、胴回り開口部１ＨＢたる起点に作業者の手が付与する上記横方向の外向きの力Ｆを、速やか且つ自然に、上記の引き裂かれる方向に向けることができて、良好な引き裂き性を奏するものと考えられる。また、既述のように、特に引き裂き始めに大きな力Ｆを要することから、少なくとも上記端部１１ｅｓのうちで胴回り開口部１ＨＢ’の近傍範囲Ａ１ＨＢの溶着部ｊ’，ｊ’…の形状を上記の傾斜形状にすれば、有効なものと考えられる。
【０００８】
しかし、そうすると、引き裂き性が良好になることに伴って、着用時に不可抗力的に作用する外力によって不用意に上記端部１１ｅｓが引き裂かれてしまう恐れがある。
【０００９】
本発明は、上記のような従来の問題に鑑みてなされたものであって、その目的は、腹側部と背側部とが溶着された端部を、胴回り開口部を起点として容易に引き裂き可能としながらも、着用時に不用意に同端部が引き裂かれてしまうことも防ぐことにある。
【課題を解決するための手段】
【００１０】
上記目的を達成するための主たる発明は、
装着時に着用者の腹側に配される腹側部と、前記着用者の背側に配される背側部と、前記着用者の股間に配される股下部とを有し、前記腹側部と前記背側部が横方向の外側の各端部にてそれぞれ溶着されており、前記横方向と交差する縦方向において互いに異なる位置に、胴回り開口部と一対の脚回り開口部とが形成されているパンツ型の吸収性物品であって、
前記端部には、少なくとも前記縦方向に非連続な溶着パターンに基づいて複数の溶着部が形成されており、
前記端部が、前記横方向の内側に位置する内側領域と、前記内側領域よりも前記横方向の外側に位置する外側領域とを有し、
前記端部のうちで前記胴回り開口部を起端とする前記縦方向の所定範囲には、前記内側領域において前記縦方向に隣り合う溶着部同士の間の隙間の前記縦方向の大きさが、前記外側領域において前記縦方向に隣り合う溶着部同士の間の隙間の前記縦方向の大きさよりも大きくなるように、溶着部が形成されており、
前記所定範囲における前記内側領域には、前記横方向の外側に進むに従って前記縦方向の前記脚回り開口部の方に変位した傾斜形状の部分を前記胴回り開口部側に有した溶着部が、前記縦方向に複数並んで形成されており、
前記外側領域は、前記内側領域に隣接して中領域を有し、
前記傾斜形状の部分を有した溶着部を第１溶着部とした場合に、
前記中領域には、第２溶着部と第３溶着部とが設けられており、
前記第２溶着部は、前記横方向の外側に進むに従って前記縦方向の前記脚回り開口部の方に変位した傾斜形状の部分を前記胴回り開口部側に有し、
前記第３溶着部は、前記横方向の外側に進むに従って前記縦方向の前記胴回り開口部の方に変位した傾斜形状の部分を前記胴回り開口部側に有し、
前記第２溶着部と前記第３溶着部とが互いに共同することによって、前記中領域には、前記横方向の外側に進むに従って前記縦方向に狭くなった先細り形状の領域が区画されており、
前記外側領域は、前記中領域よりも前記横方向の外側の位置に端領域を有し、
前記端領域には、第４溶着部が設けられており、
前記第４溶着部は、前記横方向の外側に進むに従って前記縦方向の前記胴回り開口部の方に変位した傾斜形状の部分を前記胴回り開口部側に有し、
前記第４溶着部は、前記第２溶着部が前記胴回り開口部側に有する前記傾斜形状の部分の延長線と交差するように設けられていることを特徴とするパンツ型の吸収性物品である。
本発明の他の特徴については、本明細書及び添付図面の記載により明らかにする。
【発明の効果】
【００１１】
本発明によれば、腹側部と背側部とが溶着された端部を、胴回り開口部を起点として容易に引き裂き可能としながらも、着用時に不用意に同端部が引き裂かれてしまうことも防止できる。
【図面の簡単な説明】
【００１２】
【図１】図１Ａは、従来のおむつ１’の横方向の端部１１ｅｓの概略拡大図であり、図１Ｂは、引き裂き性が良好な端部１１ｅｓの概略拡大図である。
【図２】本実施形態のパンツ型の吸収性物品の一例としてのパンツ型の使い捨ておむつ１の概略斜視図である。
【図３】図３Ａは、展開状態のおむつ１を肌側から見た概略平面図であり、図３Ｂは、図３Ａ中のＢ−Ｂ矢視の概略図である。
【図４】展開状態のおむつ１を分解して示す概略斜視図である。
【図５】展開状態の外装シート１１を非肌側から見た概略平面図である。
【図６】側端部１１ｅｓを拡大して示す溶着パターンの説明図である。
【図７Ａ】溶着パターンの上部の拡大図である。
【図７Ｂ】溶着パターンの上部の拡大図である。
【図８】図８Ａ、図８Ｂ、及び図８Ｃは、他の溶着パターンの説明図である。
【図９】図９Ａ及び図９Ｂは、他の溶着パターンの説明図である。
【図１０】溶着パターンの上部の拡大図である。
【図１１】溶着パターンの変形例の説明図である。
【図１２】展開状態の３ピースタイプのおむつを肌側から見た概略平面図である。
【発明を実施するための形態】
【００１３】
本明細書及び添付図面の記載により、少なくとも以下の事項が明らかとなる。
装着時に着用者の腹側に配される腹側部と、前記着用者の背側に配される背側部と、前記着用者の股間に配される股下部とを有した吸収性物品を、前記股下部にて二つ折りして前記腹側部と前記背側部とを重ね合わせた状態で、前記腹側部と前記背側部とを横方向の外側の各端部でそれぞれ溶着することにより、前記横方向と交差する縦方向において互いに異なる位置に、胴回り開口部と一対の脚回り開口部とが形成されたパンツ型の吸収性物品であって、
前記端部には、少なくとも前記縦方向に非連続な溶着パターンに基づいて複数の溶着部が形成されており、
前記端部が、前記横方向の内側に位置する内側領域と、前記内側領域よりも前記横方向の外側に位置する外側領域とを有し、
前記端部のうちで前記胴回り開口部を起端とする前記縦方向の所定範囲には、前記内側領域において前記縦方向に隣り合う溶着部同士の間の隙間の前記縦方向の大きさが、前記外側領域において前記縦方向に隣り合う溶着部同士の間の隙間の前記縦方向の大きさよりも大きくなるように、溶着部が形成されており、
前記所定範囲における前記内側領域には、前記横方向の外側に進むに従って前記縦方向の前記脚回り開口部の方に変位した傾斜形状の部分を前記胴回り開口部側に有した溶着部が、前記縦方向に複数並んで形成されていることを特徴とするパンツ型の吸収性物品である。
【００１４】
このようなパンツ型の吸収性物品によれば、吸収性物品を着用者から取り外す際に胴回り開口部を起点として上記端部を容易に引き裂き可能としながらも、着用時に不用意に上記端部が引き裂かれてしまうことも防ぐことができる。詳しくは次の通りである。
【００１５】
先ず、上記所定範囲たる胴回り開口部の近傍範囲における上記内側領域に位置する溶着部は、横方向の外側に進むに従って縦方向の脚回り開口部の方に変位した傾斜形状の部分を胴回り開口部側に有している。よって、かかる傾斜形状に基づいて、胴回り開口部に付与された横方向の外向きの力を、速やかに既述の引き裂かれる方向に誘導することができて、これにより、同端部を容易に横方向の内側から外側に引き裂くことができる。
一方、上記所定範囲たる胴回り開口部の近傍範囲に形成された溶着部については、内側領域において縦方向に隣り合う溶着部同士の間の隙間の縦方向の大きさの方が、外側領域において縦方向に隣り合う溶着部同士の間の隙間の縦方向の大きさよりも大きくなっている。よって、内側領域の上記隙間が大ききことに基づいて、胴回り開口部から引き裂き始めの良好な引き裂き性を担保しながらも、外側領域の上記隙間が小さいことに基づいて、上記端部の強度を有効に補うことができて、これにより、着用時に同端部が不用意に引き裂かれてしまうことを防ぐことができる。
【００１６】
かかるパンツ型の吸収性物品であって、
前記外側領域は、前記内側領域に隣接して中領域を有し、
前記傾斜形状の部分を有した溶着部を第１溶着部とした場合に、
前記中領域には、第２溶着部と第３溶着部とが設けられており、
前記第２溶着部は、前記横方向の外側に進むに従って前記縦方向の前記脚回り開口部の方に変位した傾斜形状の部分を前記脚回り開口部側に有し、
前記第３溶着部は、前記横方向の外側に進むに従って前記縦方向の前記胴回り開口部の方に変位した傾斜形状の部分を前記胴回り開口部側に有し、
前記第２溶着部と前記第３溶着部とが互いに共同することによって、前記中領域には、前記横方向の外側に進むに従って前記縦方向に狭くなった先細り形状の領域が区画されているのが望ましい。
【００１７】
このようなパンツ型の吸収性物品によれば、中領域に設けられた上記第２溶着部と第３溶着部とは互いに共同して、当該中領域に、横方向の外側に進むに従って縦方向に狭くなった先細り形状の領域を区画している。そして、かかる先細り形状の領域は、いわば溶着されていない非溶着部であることから、溶着部と比べてその強度は低く、そのために、引き裂かれる方向は、この先細り形状の領域を通るように誘導されて、その結果、当該引き裂かれる方向は、横方向と略平行なルートに変更される。そして、これにより、上記端部を、同端部における横方向の外側の縁部に最も近い最短ルートで引き裂くことができて、当該端部をより引き裂き易くすることができる。
また、中領域に形成されている第２溶着部及び第３溶着部は、縦方向に隣り合う溶着部同士の間の隙間の大きさを、内側領域において縦方向に隣り合う溶着部同士の間の隙間の大きさよりも小さくすることにも、有効に寄与する。
【００１８】
かかるパンツ型の吸収性物品であって、
前記第２溶着部は、前記横方向の外側に進むに従って前記縦方向の前記脚回り開口部の方に変位した傾斜形状の部分を前記胴回り開口部側に有し、
前記傾斜形状の部分は、前記第１溶着部が前記胴回り開口部側に有する前記傾斜形状の部分に沿って設けられているのが望ましい。
【００１９】
このようなパンツ型の吸収性物品によれば、中領域の第２溶着部は、上記傾斜形状の部分を胴回り開口部側に有し、そして、当該傾斜形状の部分は、内側領域の第１溶着部が胴回り開口部側に有する傾斜形状の部分に沿って設けられている。よって、内側領域において第１溶着部に基づいてなされた引き裂かれる方向への上記力の誘導を、中領域では、第２溶着部が速やかに引き継ぎ得る。よって、当該中領域においても、上記の誘導を速やかに継続することができて、その結果、当該端部は、より引き裂き易くなる。
【００２０】
かかるパンツ型の吸収性物品であって、
前記第２溶着部が前記胴回り開口部側に有する前記傾斜形状の部分は、前記第１溶着部が前記胴回り開口部側に有する前記傾斜形状の部分と同じ形状であるとともに、当該第２溶着部と前記第１溶着部とは、互いの前記傾斜形状の部分が一直線上に揃うように前記横方向から傾きつつ前記横方向に並んで設けられているのが望ましい。
【００２１】
このようなパンツ型の吸収性物品によれば、内側領域において第１溶着部に基づいてなされた引き裂かれる方向への上記力の誘導を、中領域では、第２溶着部がより速やかに引き継ぎ得る。よって、当該中領域においても、上記の誘導をより速やかに継続することができて、その結果、当該端部は、より一層引き裂き易くなる。
【００２２】
かかるパンツ型の吸収性物品であって、
前記外側領域は、前記中領域よりも前記横方向の外側の位置に端領域を有し、
前記端領域には、第４溶着部が設けられており、
前記第４溶着部は、前記横方向の外側に進むに従って前記縦方向の前記胴回り開口部の方に変位した傾斜形状の部分を前記胴回り開口部側に有し、
前記第４溶着部は、前記第２溶着部が前記胴回り開口部側に有する前記傾斜形状の部分の延長線と交差するように設けられているのが望ましい。
【００２３】
このようなパンツ型の吸収性物品によれば、端領域の第４溶着部は、中領域の第２溶着部の傾斜形状の部分の延長線と交差するように設けられている。よって、上記端部を引き裂く際に内側領域及び中領域で生じた引き裂かれる方向に沿った引き裂きの勢いを端領域で遮って、これを緩和することができる。その結果、作業者は、全体的に適度な勢いでもって端部を横方向に引き裂くことができる。
【００２４】
かかるパンツ型の吸収性物品であって、
前記第４溶着部の前記傾斜形状の部分の傾斜の方が、前記第２溶着部が前記胴回り開口部側に有する前記傾斜形状の部分の傾斜よりも緩やかであるのが望ましい。
【００２５】
このようなパンツ型の吸収性物品によれば、端領域に設けられた第４溶着部の傾斜形状の部分は、中領域に設けられた第２溶着部の傾斜形状の部分よりも、緩やかな傾斜に形成されている。よって、上記の第４溶着部は、上記の引き裂かれる方向に沿った引き裂きの勢いを緩やかに遮ることができる。
【００２６】
かかるパンツ型の吸収性物品であって、
前記第４溶着部が前記胴回り開口部側に有する前記傾斜形状の部分は、前記第３溶着部が前記胴回り開口部側に有する前記傾斜形状の部分に沿って設けられているのが望ましい。
【００２７】
このようなパンツ型の吸収性物品によれば、端領域の第４溶着部が胴回り開口部側に有する上記傾斜形状の部分は、中領域の第３溶着部が胴回り開口部側に有する傾斜形状の部分に沿って設けられている。よって、中領域において第３溶着部に基づいてなされた引き裂かれる方向の最短ルートへの誘導を、端領域では第４溶着部が速やかに引き継ぎ得る。よって、当該端領域においても、上記の誘導を速やかに継続することができて、その結果、当該端部をより確実に最短ルートで引き裂くことができる。
【００２８】
かかるパンツ型の吸収性物品であって、
前記第４溶着部が前記胴回り開口部側に有する前記傾斜形状の部分は、前記第３溶着部が前記胴回り開口部側に有する前記傾斜形状の部分と同じ形状であるとともに、当該第４溶着部と前記第３溶着部とは、互いの前記傾斜形状の部分が一直線上に揃うように前記横方向から傾きつつ前記横方向に並んで設けられているのが望ましい。
【００２９】
このようなパンツ型の吸収性物品によれば、中領域にて第３溶着部に基づいてなされた引き裂かれる方向の最短ルートへの誘導を、端領域では第４溶着部がより速やかに引き継ぎ得る。よって、当該端領域においても、上記の誘導をより速やかに継続することができて、その結果、当該端部をより一層確実に最短ルートで引き裂くことができる。
【００３０】
かかるパンツ型の吸収性物品であって、
前記内側領域に形成されて前記傾斜形状の部分を有する前記溶着部を第１溶着部とした場合に、
前記内側領域には、前記胴回り開口部から前記脚回り開口部までの前記縦方向の全長に亘って、前記第１溶着部が、前記縦方向に複数並んで形成されているのが望ましい。
【００３１】
このようなパンツ型の吸収性物品によれば、作業者の手から付与される力は、内側領域の縦方向の全長に亘って、速やか且つ自然に前述の引き裂かれる方向に誘導される。すなわち、同力は、横方向の外側に進むに従って前記縦方向の前記脚回り開口部の方に変位した方向に誘導される。よって、上記端部を速やか且つ容易に引き裂くことができる。
かかるパンツ型の吸収性物品であって、
前記腹側部及び前記背側部には、それぞれ、弾性部材が前記横方向に伸長した状態で前記横方向に沿って固定されており、
前記溶着部のうちの幾つかの溶着部は、前記端部において前記弾性部材が位置しない部分に形成されているのが望ましい。
【００３２】
このようなパンツ型の吸収性物品によれば、上記幾つかの溶着部の強度は低くなる。そのため、その強度の低下分だけ、上記端部は引き裂き易くなる。ちなみに、上記幾つかの溶着部の強度が低くなる理由、すなわち、弾性部材が位置しない部分に形成された溶着部の強度が低くなる理由については、次の通りである。
先ず、溶着部の形成は、通常一対の挟み込み部材を用いてなされる。すなわち、一方の挟み込み部材は、溶着パターンに対応した複数の突部を有し、他方の挟み込み部材は、同突部を受ける平面を有し、そして、一方の挟み込み部材の突部と他方の挟み込み部材の平面とが対向するように配置しながら、上記端部がこれら一対の挟み込み部材に挟み込まれることによって複数の溶着部が形成される。ここで、上記端部のうちで弾性部材が位置しない部分は、弾性部材が位置する部分と比べて、弾性部材の分だけ挟み込み方向の厚さが薄くなっている。そのため、上記一対の挟み込み部材による挟み込み時には、厚さが薄い分だけ付与される挟圧力が小さくなって溶着が進行し難くなり、その結果として、弾性部材が位置しない部分に形成された溶着部の強度は低くなる。
【００３３】
かかるパンツ型の吸収性物品であって、
前記腹側部及び前記背側部には、それぞれ、弾性部材が前記横方向に伸長した状態で前記横方向に沿ってホットメルト接着剤によって固定されており、
前記溶着部のうちの幾つかの溶着部は、前記端部において前記弾性部材が位置する部分に超音波溶着処理が施されることにより形成されているのが望ましい。
【００３４】
このようなパンツ型の吸収性物品によれば、上記幾つかの溶着部の強度は低くなる。そのため、その強度の低下分だけ、上記端部は引き裂き易くなる。
なお、上記幾つかの溶着部の強度が低下する理由については、次の通りである。先ず、上記端部において上記幾つかの溶着部が形成される部分には、弾性部材がホットメルト接着剤で固定されているが、かかるホットメルト接着剤が存在する部分に超音波溶着処理を行うと、同接着剤による潤滑作用に基づいて超音波溶着処理の摩擦発熱が抑制されてしまう。よって、同溶着処理が進行し難くなって、結果、上記溶着部の強度が低くなる。
【００３５】
＝＝＝本実施形態＝＝＝
図２は、本実施形態のパンツ型の吸収性物品の一例としてのパンツ型の使い捨ておむつ１の概略斜視図である。図３Ａは、展開状態のおむつ１を肌側から見た概略平面図であり、図３Ｂは、図３Ａ中のＢ−Ｂ矢視の概略図である。図４は、展開状態のおむつ１を分解して示す概略斜視図である。図５は、展開状態の外装シート１１を非肌側から見た概略平面図である。
【００３６】
なお、以下の説明では、おむつ１が着用者に装着された際に、当該着用者の肌側に位置すべき側のことを単に「肌側」と言い、他方、着用者の非肌側に位置すべき側のことを単に「非肌側」と言う。
【００３７】
図３Ａに示すように、このおむつ１は、例えば２ピースタイプのおむつ１である。すなわち、同おむつ１は、尿などの排泄液を吸収する例えば平面視略長方形形状の吸収性本体３を第１部品として有し、そして、上記吸収性本体３の非肌側面を覆って設けられておむつ１の外装をなす平面視略砂時計形状の外装シート１１を第２部品として有している。
【００３８】
図３Ａ、図３Ｂ、及び図４に示すように、吸収性本体３は、排泄液を吸収する吸収性コア３ｃを有する。吸収性コア３ｃは、パルプ繊維等の液体吸収性繊維や高吸収性ポリマー等の液体吸収性粒状物を、所定形状の一例としての平面視略砂時計形状に成形したものである。なお、かかる吸収性コア３ｃは、必要に応じてティッシュペーパー等の液透過性の被覆シートで被覆されていても良い。
【００３９】
かかる吸収性コア３ｃの肌側面には、当該面を全面に亘って覆うように不織布等の液透過性のトップシート４が設けられており、同様に、同吸収性コア３ｃの非肌側面には、当該面を全面に亘って覆うようにフィルム等の液不透過性の防漏シート５が設けられている。ここで、この例では、どちらのシート４，５も、平面視略長方形形状に形成されており、また、どちらのシート４，５も、吸収性コア３ｃの外形輪郭から全周に亘って外方に飛び出している。そして、トップシート４において飛び出した部分と防漏シート５において飛び出した部分とが、互いに接着や溶着等によって接合されており、その結果、平面視略長方形形状の吸収性本体３が形成されている。
【００４０】
なお、不図示であるが、かかる吸収性本体３の幅方向の両端部に対して、それぞれ、同本体３の長手方向に沿って弾性部材としての糸ゴムを設けても良い。かかる糸ゴムは、吸収性本体３及び外装シート１１における脚回り開口部１ＨＬの近傍部分に伸縮性を付与するものである。よって、かかる糸ゴムは、トップシート４と防漏シート５との間に介挿されつつ、自然長から２〜４倍等の所定倍率まで伸長された状態でホットメルト接着剤等の接着剤により両シート４，５に固定される。
【００４１】
また、場合によっては、尿の横漏れを防止する目的で防漏壁部（不図示）を吸収性本体３に設けても良い。かかる防漏壁部は、立体ギャザーとも呼ばれるものであり、不織布等の柔軟なシートを材料として、吸収性本体３の肌側面等の両端部にそれぞれ起立するように設けられる。但し、かかる防漏壁部は、周知構成である。そのため、これ以上の説明については省略する。
【００４２】
外装シート１１は、図５の展開状態においては、平面視略砂時計形状の柔軟なシートであり、同シート１１は、互いに直交する三方向として、厚さ方向と長手方向と幅方向とを有している。また、当該外装シート１１は、長手方向に関して三つの部分１１ａ，１１ｂ，１１ｃに区分される。すなわち、外装シート１１は、着用者の腹側に配される腹側部１１ａと、着用者の背側に配される背側部１１ｂと、着用者の股間に配される股下部１１ｃとに区分される。なお、当然ながら、股下部１１ｃは、腹側部１１ａと背側部１１ｂとの間に位置しており、これにより、当該股下部１１ｃは、平面視略砂時計形状において幅方向に括れた形状の部分１１ｃとなっている。
【００４３】
図４に示すように、かかる外装シート１１は、一枚のシート１２を本体とするか、或いは複数枚のシートを積層一体化した積層シートを本体とし、この例では、一枚のシート１２を本体としている。なお、この本体となるシート１２の材料には、熱可塑性樹脂繊維を含む不織布や熱可塑性樹脂フィルム等が使用され、この例では、１５（ｇ／ｍ2）の坪量のＳＭＳ不織布（スパンボンド／メルトブローン／スパンボンド不織布）が使用されているが、何等これに限らない。
【００４４】
また、図４及び図５に示すように、この例では、同シート１２における腹側部１２ａ及び背側部１２ｂに対しては、それぞれ、当該シート１２の非肌側面に別のシート１３ａ，１３ｂが接着又は溶着等によって接合されているが、股下部１２ｃについては、別のシートが接合されていない。但し、何等これに限らず、股下部１２ｃにも別のシートが接合されていても良く、更には、股下部１２ｃの別のシートが、腹側部１２ａの別のシート１３ａ及び背側部１２ｂの別のシート１３ｂと一体であっても良い。また、当該別のシート１３ａ，１３ｂの材料には、熱可塑性樹脂繊維を含む不織布や熱可塑性樹脂フィルム等が使用され、この例では、熱可塑性樹脂繊維を含む１７（ｇ／ｍ2）の坪量のスパンボンド不織布が使用されているが、何等これに限らない。
【００４５】
なお、以下では、外装シート１１の本体となる上記シート１２のことを「本体シート１２」と言い、本体シート１２における腹側部１２ａに接合される上記別のシート１３ａのことを「腹側部外面シート１３ａ」と言い、本体シート１２における背側部１２ｂに接合される上記別シート１３ｂのことを「背側部外面シート１３ｂ」という。
【００４６】
ここで、図４及び図５に示すように、本体シート１２と腹側部外面シート１３ａとの間、及び本体シート１２と背側部外面シート１３ｂとの間には、それぞれ、弾性部材の一例としての糸ゴム１５，１５…が介挿されている。かかる糸ゴム１５，１５…は、外装シート１１の腹側部１１ａ及び背側部１１ｂに対して幅方向の伸縮性を付与するものである。そのため、当該糸ゴム１５，１５…は、自然長から２〜４倍等の所定倍率まで伸長された状態で幅方向に沿って配置されつつ、ホットメルト接着剤により展開状態の各シート１２，１３ａ，１３ｂに固定されている。かかる糸ゴム１５，１５…は、本体シート１２の長手方向に並んで互いの間に間隔をあけながら複数本配置されており、これにより、腹側部１１ａ及び背側部１１ｂのそれぞれについて上記長手方向の広範囲に亘って伸縮性が付与されている。
【００４７】
また、図４に示すように、腹側部外面シート１３ａ及び背側部外面シート１３ｂは、それぞれ本体シート１２における長手方向の端縁部１２ｅＬａ，１２ｅＬｂよりも外方に飛び出すように設けられており、そして、各シート１３ａ，１３ｂにおいて本体シート１２から外方に飛び出した部分１３ａｐ，１３ｂｐについては、長手方向の内方に折り返されていて、これにより、図３Ｂに示すように、当該飛び出した部分１３ａｐ，１３ｂｐは、本体シート１２の肌側面に重ね合わせられている。そして、これにより、胴回り開口部１ＨＢとなる端縁部１１ＨＢａ，１１ＨＢｂは、腹側部外面シート１３ａの折り返し部１３ａｋ及び背側部外面シート１３ｂの折り返し部１３ｂｋによって形成されていて、つまり、当該折り返し部１３ａｋ，１３ｂｋによって、本体シート１２の端縁部１２ｅＬａ，１２ｅＬｂは覆われている。よって、本体シート１２の端縁部１２ｅＬａ，１２ｅＬｂによって着用者の肌が傷つけられることは防止されている。なお、この例では、図３Ａ及び図３Ｂを参照して明らかなように、本体シート１２の肌側面に重ね合わせられた上記の飛び出した部分１３ａｐ，１３ｂｐは、更に吸収性本体３の長手方向の各端部３ｅａ，３ｅｂも肌側から覆っているが、何等これに限るものではない。すなわち、覆わなくても良い。
【００４８】
図３Ａ及び図４に示すように、かかる外装シート１１の肌側面、すなわち本体シート１２の肌側面における幅方向の中央位置には、前述の吸収性本体３が互いの長手方向を揃えた状態で固定されている。また、吸収性本体３の長手方向の長さ及び幅方向の長さは、それぞれ、当該吸収性本体３が外装シート１１の内側に概ね収まるような長さとされている。
【００４９】
そして、図３Ａの如く吸収性本体３が固定された外装シート１１は、股下部１１ｃにて二つ折りされて腹側部１１ａと背側部１１ｂとが重ね合わせられる。そして、この重ね合わせられた状態において、腹側部１１ａと背側部１１ｂとが幅方向の各端部１１ｅｓでそれぞれ溶着されることにより、図２に示すような胴回り開口部１ＨＢと一対の脚回り開口部１ＨＬ，１ＨＬとが形成されたパンツ型のおむつ１の形態にされる。
【００５０】
なお、以下では、上述のように溶着される幅方向の端部１１ｅｓのことを「側端部１１ｅｓ」とも言う。
また、以下では、同図２の如くパンツ型にされたおむつ１の三次元形状の方向について、次のように定義する。先ず、外装シート１１の幅方向と平行な方向のことを「横方向」と言う。また、外装シート１１の長手方向と平行な方向のことを「縦方向」と言う。横方向と縦方向とは、交差の一例として直交している。また、横方向と縦方向との両者と直交する方向のことを「前後方向」と言う。なお、前後方向の前方が、着用者の前側たる腹側であり、同前後方向の後方が、着用者の後側たる背側である。また、おむつ１を装着した際には、上記の縦方向は上下方向を向くことから、縦方向のことを「上下方向」とも言う。ちなみに、上下方向で言えば、脚回り開口部１ＨＬは、胴回り開口部１ＨＢよりも下方に位置している。更に、横方向の中央側のことを「内側」とも言い、横方向の端側のことを「外側」とも言う。例えば、上記の側端部１１ｅｓは、おむつ１における横方向の外側の位置に設けられており、また、上記の吸収性本体３は、おむつ１における横方向の内側の位置に設けられている。
【００５１】
上述の溶着は、超音波溶着処理やヒートシール処理などで行われ、この例では、超音波溶着処理でなされている。そして、かかる溶着に伴って、図２の外装シート１１の腹側部１１ａにおける横方向の各端部１１ｅｓ、すなわち各側端部１１ｅｓには、それぞれ複数の溶着部ｊ，ｊ…が所定の溶着パターンに基づいて形成されており、同様に外装シート１１の背側部１１ｂにおける各側端部１１ｅｓにも、それぞれ複数の溶着部ｊ，ｊ…（図２では不図示）が同じ溶着パターンに基づいて形成されている。なお、これら腹側部１１ａの各溶着部ｊ，ｊ…と背側部１１ｂの各ｊ，ｊ…とは一体となっていて、上記の側端部１１ｅｓにおいて表裏の位置関係にある謂わば同じものである。そのため、以下の説明では、区別しない。
【００５２】
図６乃至図７Ｂは、溶着パターンの説明図である。なお、図６は、側端部１１ｅｓを拡大して示しており、また、図７Ａ及び図７Ｂには、それぞれ、溶着パターンの上部を更に拡大して示している。
【００５３】
溶着パターンは、全体として縦方向に長い帯状をなしており、図６Ａの例では、胴回り開口部１ＨＢから脚回り開口部１ＨＬまでの側端部１１ｅｓのほぼ全長に亘って延在している。また、同パターンは、縦方向及び横方向の両方向に関してそれぞれ非連続なパターンであり、これにより、複数の溶着部ｊ，ｊ…が、それぞれ縦方向及び横方向に隣り合う溶着部ｊ，ｊとの間に隙間をあけて配置されている。また、各溶着部ｊは、それぞれ、前後方向（図６では紙面を貫通する方向）にへこんで形成されており、更に、この例では、各溶着部ｊの底面の形状は横長の平行四辺形をなしている。
【００５４】
図６及び図７Ａに示すように、側端部１１ｅｓは、縦長帯状の三つの領域Ａｉｎ，Ａｍｉｄ，Ａｏｕｔを横方向に並んで有している。すなわち、横方向の内側に位置する縦長帯状の内側領域Ａｉｎと、この内側領域Ａｉｎよりも横方向の外側に位置する縦長帯状の中領域Ａｍｉｄと、この中領域Ａｍｉｄよりも横方向の外側に位置する縦長帯状の端領域Ａｏｕｔと、を有している。そして、これら三つの各領域Ａｉｎ，Ａｍｉｄ，Ａｏｕｔの横方向の寸法は、互いにほぼ同寸とされている。また、中領域Ａｍｉｄと端領域Ａｏｕｔとの両者を組み合わされてなる領域Ａｍｉｄ，Ａｏｕｔが、請求項に係る「外側領域」に相当する。すなわち「内側領域よりも横方向の外側に位置する外側領域」に相当する。
【００５５】
なお、以下では、各領域Ａｉｎ，Ａｍｉｄ，Ａｏｕｔに形成される溶着部ｊ，ｊ…を区別して説明する関係上、内側領域Ａｉｎに設けられる溶着部ｊのことを「第１溶着部ｊ１」と言い、中領域Ａｍｉｄに設けられる複数種類の一例としての二種類の溶着部ｊ，ｊのことを、それぞれ「第２溶着部ｊ２」及び「第３溶着部ｊ３」と言い、端領域Ａｏｕｔに設けられる溶着部ｊのことを「第４溶着部ｊ４」と言う。
【００５６】
内側領域Ａｉｎには、複数の第１溶着部ｊ１が、縦方向に一列に並んで設けられている。そして、平行四辺形形状の各第１溶着部ｊ１は、それぞれ、横方向の外側に進むに従って縦方向の下方に変位するように傾斜して設けられており、これにより、第１溶着部ｊ１の上辺部ｊ１ｕ（傾斜形状の部分に相当）は、横方向の外側に進むに従って縦方向の下方に変位した傾斜形状になっている。そして、この傾斜形状は、既述の引き裂かれる方向（図１Ａを参照）に沿っている。すなわち、ここで言う「引き裂かれる方向」とは、同図１Ａを参照して既述のように、側端部１１ｅｓの上端部１１ｅｓｕに位置する胴回り開口部１ＨＢに作業者が力Ｆを加えて、当該側端部１１ｅｓを横方向の内側から外側へと引き裂く際に、側端部１１ｅｓが引き裂かれていく方向のことを指しているが、ここで、当該引き裂かれる方向は、横方向の外側に進むに従って縦方向の下方に変位した方向を向いており、そして、これに対応して、上記の傾斜形状も同じような方向を向いている。よって、各第１溶着部ｊ１は、かかる傾斜形状に基づいて、胴回り開口部１ＨＢに付与された横方向の外向きの力Ｆを、速やかに上記の引き裂かれる方向に誘導することができて、これにより、同側端部１１ｅｓを容易に横方向の内側から外側に引き裂くことができる。
かかる内側領域Ａｉｎの各第１溶着部ｊ１は、縦方向に広い隙間Ｇａと狭い隙間Ｇｂとが交互に現れるように、縦方向に並んで設けられている。そして、この例では、広い隙間Ｇａの縦方向の寸法は、全ての広い隙間Ｇａ，Ｇａ…に亘って互いに同値とされており、同様に、狭い隙間Ｇｂの縦方向の寸法も、全ての狭い隙間Ｇｂ，Ｇｂ…に亘って互いに同値とされている。また、この例では、広い隙間Ｇａを挟んで設けられた一対の溶着部ｊ１，ｊ１の縦方向の配置ピッチＰａは、狭い隙間Ｇｂを挟んで配された一対の溶着部ｊ１，ｊ１の縦方向の配置ピッチＰｂの二倍の大きさとされている。但し、何等これに限らない。例えば、三倍等の他の整数倍の大きさの配置ピッチにしても良いし、１．５倍などの小数点を含む倍率倍の大きさの配置ピッチにしても良い。
【００５７】
ここで、本実施形態では、内側領域Ａｉｎの上端部には、広い隙間Ｇａが対応付けられている。すなわち、当該上端部には、一つの第１溶着部ｊ１が設けられているとともに、当該溶着部ｊ１の下方には、広い隙間Ｇｂを介して第１溶着部ｊ１が設けられている。そして、このことは、引き裂き始めに円滑に引き裂くことを可能にしている。すなわち、既述のように、側端部１１ｅｓを全体として円滑に引き裂ききるには、引き裂き始めが肝心である。そして、かかる引き裂き始めで円滑に引き裂き動作を行うには、引き裂き始めで引き裂きに要する力Ｆが小さいことが必要であるが、この点につき、この例では、内側領域Ａｉｎの上端部に広い隙間Ｇａが対応付けられている。よって、引き裂き始めに要する力Ｆを小さくすることができて、これにより、引き裂き始めの引き裂き動作を円滑に行うことができる。
【００５８】
ちなみに、この第１溶着部ｊ１の上辺部ｊ１ｕ及び下辺部ｊ１ｄの横方向からの傾斜角度値θ１は、例えば１０°〜４０°の範囲から選択され、望ましくは、１５°〜３５°の範囲から選択され、より望ましくは、２０°〜２５°の範囲から選択され、この例では２２°である。
【００５９】
また、第１溶着部ｊ１の底面の横方向の寸法については、例えば１ｍｍ〜４ｍｍのうちの任意値が最大値となるように選択され、同じく縦方向の寸法については、例えば０．５ｍｍ〜１．５ｍｍのうちの任意値が最大値となるように選択される。また、上記の広い隙間Ｇａの縦方向の寸法は、例えば５ｍｍ〜１０ｍｍから選択され、上記の狭い隙間Ｇｂの縦方向の寸法は、例えば１ｍｍ〜４ｍｍから選択される。但し、何等これらに限らない。
【００６０】
一方、内側領域Ａｉｎの外側に隣接する中領域Ａｍｉｄには、既述のように、複数種類の一例として第２溶着部ｊ２と第３溶着部ｊ３とが、縦方向に一列に並んで設けられている。
第２溶着部ｊ２は、前述の第１溶着部ｊ１と概ね同じ形状の溶着部である。すなわち、第１溶着部ｊ１よりも１割から２割程度横方向の寸法が短くなっていること以外は、第１溶着部と同仕様である。より詳しくは、この第２溶着部ｊ２も、平行四辺形形状の底面を有し、そして、この第２溶着部ｊ２の上辺部ｊ２ｕ及び下辺部ｊ２ｄ（どちらも、傾斜形状の部分に相当）は、横方向の外側に進むに従って縦方向の下方に変位した傾斜形状に形成され、更に、この上辺部ｊ２ｕ及び下辺部ｊ２ｄの横方向からの傾斜角度値θ２も、前述の第１溶着部ｊ１の傾斜角度値θ１と同値である。
【００６１】
そして、基本的には、第２溶着部ｊ２は、内側領域Ａｉｎの各第１溶着部ｊ１にそれぞれ対応させて設けられている。すなわち、第２溶着部ｊ２は、第１溶着部ｊ１の横方向の外側に並んで配置されているとともに、同第２溶着部ｊ２の上辺部ｊ２ｕが第１溶着部ｊ１の上辺部ｊ１ｕと一直線上に揃うように横方向から傾いた状態で配されている。
【００６２】
よって、内側領域Ａｉｎで第１溶着部ｊ１によってなされた引き裂かれる方向への前述の力の誘導を、中領域Ａｍｉｄでは、第２溶着部ｊ２が速やかに引き継ぎ得て、これにより、当該中領域Ａｍｉｄにおいても、上記の誘導を速やかに継続することができる。そして、その結果、当該側端部１１ｅｓは、より引き裂き易くなる。
【００６３】
また、上述の如く内側領域Ａｉｎの各第１溶着部ｊ１にそれぞれ対応させて第２溶着部ｊ２が設けられている場合には、当該第２溶着部ｊ２についても、基本的には第１溶着部ｊ１の場合と同じように、縦方向に広い隙間Ｇａと狭い隙間Ｇｂとが交互に現れるように縦方向に並んで設けられていることになる。但し、この例では、当該広い隙間Ｇａの縦方向の中間位置に、更に第２溶着部ｊ２が追加して設けられていて、これにより、かかる広い隙間Ｇａは上下に二分されており、つまり上下に隣り合う二つの狭い隙間Ｇｂ，Ｇｂが形成されている。従って、中領域Ａｍｉｄには、複数の第２溶着部ｊ２，ｊ２…が、前述の狭い隙間Ｇｂに対応した短い配置ピッチＰｂで縦方向に並んで設けられた状態となっている。そして、更に、かかる二つの狭い隙間Ｇｂ，Ｇｂにも、それぞれ第３溶着部ｊ３がそれぞれ設けられている。
【００６４】
よって、内側領域Ａｉｎの広い隙間Ｇａに対応して横方向に隣接する中領域Ａｍｉｄの広い隙間Ｇａに相当する部分には、一つの第２溶着部ｊ２と二つの第３溶着部ｊ３，ｊ３とが設けられていて、これにより、縦方向の広い隙間Ｇａが細分化されている。そして、その結果、縦方向に隣り合う溶着部ｊ，ｊ同士の間の隙間の大きさは、総じて、中領域Ａｍｉｄよりも内側領域Ａｉｎの方が大きくなっている。
【００６５】
そして、このことは、側端部１１ｅｓの上端部１１ｅｓｕについても当て嵌っている。すなわち、既述のように、内側領域Ａｉｎの上端部には広い隙間Ｇａが対応して位置しており、その横に位置する中領域Ａｍｉｄの広い隙間Ｇａに相当する部分には、一つの第２溶着部ｊ２と二つの第３溶着部ｊ３，ｊ３とが設けられていて、これにより、広い隙間Ｇａは、四つの極めて狭い隙間に区分されている。そして、その結果、内側領域Ａｉｎの溶着部ｊ１，ｊ１同士の間の隙間の縦方向の大きさは、中領域Ａｍｉｄの溶着部ｊ２，ｊ３同士の間の隙間の縦方向の大きさよりも大きくされている。よって、内側領域Ａｉｎの上記隙間が大ききことに基づいて、上端部１１ｅｓｕの胴回り開口部１ＨＢから引き裂き始めに良好な引き裂き性で引き裂き可能としながらも、中領域Ａｍｉｄの上記隙間が小さいことに基づいて、上端部１１ｅｓｕの強度を有効に補うことができて、これにより、着用時に側端部１１ｅｓが上端部１１ｅｓｕにて不用意に引き裂かれてしまうことを防ぐことができる。
【００６６】
ところで、図７Ｂに示すように、第３溶着部ｊ３も、平行四辺形形状の底面を有した溶着部である。但し、この第３溶着部ｊ３の上辺部ｊ３ｕ（傾斜形状の部分に相当）の傾き形状は、第１溶着部ｊ１の場合とは逆向きの傾き形状になっている。すなわち、この第３溶着部ｊ３の上辺部ｊ３ｕは、横方向の外側に進むに従って縦方向の上方に変位した傾斜形状に形成され、更に、この上辺部ｊ３ｕの横方向からの傾斜角度値θ３も、前述の第１溶着部ｊ１の傾斜角度値θ１とは異なっており、この例では、第３溶着部ｊ３の傾斜角度値θ３の方が小さくなっている。
【００６７】
一方、同図７Ｂに示すように、第３溶着部ｊ３の縦方向の上方の隣には、第２溶着部ｊ２が位置しており、そして、この例では、かかる第２溶着部ｊ２の底面は平行四辺形形状であることから、その下辺部ｊ２ｄは、上辺部ｊ２ｕに対して平行である。よって、この下辺部ｊ２ｄについても、横方向の外側に進むに従って縦方向の下方に変位した傾斜形状に形成されている。
【００６８】
よって、中領域Ａｍｉｄには、これら第２溶着部ｊ２と第３溶着部ｊ３とが互いに共同することにより、横方向の外側に進むに従って縦方向に狭くなった先細り形状の領域Ａ２３が区画されている。そして、かかる領域Ａ２３は、いわば溶着されていない非溶着部であることから、溶着部ｊ２，ｊ３と比べてその強度は低く、そのために、引き裂かれる方向は、この先細り形状の領域Ａ２３を通るように誘導されて、その結果、当該引き裂かれる方向は、図７Ｂに示すように、横方向と略平行なルートに変更される。そして、これにより、上記側端部１１ｅｓを、同側端部１１ｅｓにおける横方向の外側の縁部１１ｅｓ１に最も近い最短ルートで引き裂くことができて、当該側端部１１ｅｓをより引き裂き易くなる。
【００６９】
ちなみに、第３溶着部ｊ３の上辺部ｊ３ｕ及び下辺部ｊ３ｄの横方向からの各傾斜角度値θ３は、例えば５°〜３０°の範囲から選択され、望ましくは、５°〜１５°の範囲から選択され、より望ましくは、７°〜１２°の範囲から選択され、この例では１０°である。また、第３溶着部ｊ３の底面の横方向の寸法については、例えば１ｍｍ〜４ｍｍのうちの任意値が最大値となるように選択され、同じく縦方向の寸法については、例えば０．５ｍｍ〜１．５ｍｍのうちの任意値が最大値となるように選択される。
【００７０】
図７Ｂに示すように、中領域Ａｍｉｄの外側に隣接する端領域Ａｏｕｔには、複数の第４溶着部ｊ４，ｊ４…が縦方向に並んで設けられている。そして、この例では、第４溶着部ｊ４は、前述の第３溶着部ｊ３と概ね同じ形状の溶着部である。すなわち、第３溶着部ｊ３よりも１割から２割程度横方向の寸法が長くなっていること以外は、第３溶着部ｊ３と同仕様である。より詳しくは、この第４溶着部ｊ４も、平行四辺形形状の底面を有し、そして、この第４溶着部ｊ４の上辺部ｊ４ｕ及び下辺部ｊ４ｄは、横方向の外側に進むに従って縦方向の上方に変位した傾斜形状に形成され、更に、この上辺部ｊ４ｕ及び下辺部ｊ４ｄの横方向からの各傾斜角度値θ４も、前述の第３溶着部ｊ３の傾斜角度値θ３と同値である。
【００７１】
また、基本的に、第４溶着部ｊ４は、少なくとも中領域Ａｍｉｄの各第３溶着部ｊ３にそれぞれ対応させて設けられている。すなわち、第４溶着部ｊ４は、第３溶着部ｊ３の横方向の外側に並んで配置されているとともに、同第４溶着部ｊ４の上辺部ｊ４ｕ（傾斜形状の部分に相当）が第３溶着部ｊ３の上辺部ｊ３ｕと一直線上に揃うように横方向から傾いた状態で配されている。
【００７２】
よって、中領域Ａｍｉｄにて第３溶着部ｊ３に基づいてなされた引き裂かれる方向の最短ルートへの誘導を、端領域Ａｏｕｔでは、第４溶着部ｊ４が速やかに引き継ぎ得る。よって、当該端領域Ａｏｕｔにおいても、上記の誘導を速やかに継続することができて、その結果、当該側端部１１ｅｓをより確実に最短ルートで引き裂くことができる。
【００７３】
また、同図７Ｂに示すように、かかる第４溶着部ｊ４は、中領域Ａｍｉｄの第２溶着部ｊ２の上辺部ｊ２ｕの延長線と交差している。よって、側端部１１ｅｓを引き裂く際に内側領域Ａｉｎ及び中領域Ａｍｉｄで生じた引き裂かれる方向に沿った引き裂きの勢いを遮って、これを緩和することができる。その結果、作業者は、適度な勢いでもって側端部１１ｅｓを横方向に引き裂くことができる。ちなみに、図７Ｂの例では、第４溶着部ｊ４は、中領域Ａｍｉｄが具備する全ての各第２溶着部ｊ２，ｊ２…に対応させて設けられている。よって、上記の勢いの緩和作用を確実に奏することができる。
また、第４溶着部ｊ４の上辺部ｊ４ｕの横方向からの傾斜角度値θ４は、第２溶着部ｊ２の上辺部ｊ２ｕの横方向の傾斜角度値θ２よりも小さくなっている。よって、第４溶着部ｊ４は、上記の引き裂かれる方向に沿った引き裂きの勢いを緩やかに遮ることができる。
【００７４】
なお、上述の例では、溶着パターンは、第１〜第４溶着部ｊ１，ｊ２，ｊ３，ｊ４という四種類の溶着部ｊを有していたが、何等これに限らない。すなわち、更に、別の種類の溶着部ｊを追加しても良いし、或いは、上記の第２乃至第４溶着部ｊ２，ｊ３，ｊ４のうちの何れか一種又は二種を省略しても良い。例えば、次のようにしても良い。図８Ａの例は、第１溶着部ｊ１と第２溶着部ｊ２と第３溶着部ｊ３とを有し、第４溶着部ｊ４を有していない場合である。また、図８Ｂの例は、第１溶着部ｊ１と第２溶着部ｊ２とを有し、第３溶着部ｊ３と第４溶着部ｊ４とを有していない場合である。また、図８Ｃの例は、第１溶着部ｊ１と第２溶着部ｊ２と第４溶着部ｊ４とを有し、第３溶着部ｊ３を有していない場合である。
【００７５】
更に、図９Ａの例のように、第１溶着部ｊ１と、その最寄りの一つの第２溶着部ｊ２とを連結して一つの溶着部ｊ１２としても良いし、図９Ｂの例のように、第３溶着部ｊ３と、その最寄りの一つの第４溶着部ｊ４とを連結して一つの溶着部ｊ３４としても良い。但し、連結すると、溶着部ｊ１２，ｊ３４の強度が高くなるので、引き裂き性が悪くなる。そのため、望ましくは、連結しない方が良い。
【００７６】
ところで、この例では、図４及び図５に示すように、腹側部１１ａ及び背側部１１ｂには、それぞれ、糸ゴム１５，１５…が横方向に伸長した状態で横方向に沿ってホットメルト接着剤により固定されており、そして、図１０に示すように、溶着部ｊ，ｊ…のうちの幾つかの溶着部ｊａ，ｊａ…は、側端部１１ｅｓにおいて糸ゴム１５が位置する部分に超音波溶着処理が施されることで形成されている。そして、このようにされていれば、上記幾つかの溶着部ｊａ，ｊａ…の強度は低くなる。よって、その強度の低下分だけ、側端部１１ｅｓは引き裂き易くなる。そのため、かかる構成は、引き裂き性の観点からは好ましいものとなる。なお、上記幾つかの溶着部ｊａの強度が低下する理由については、次の通りである。
先ず、側端部１１ｅｓにおいて上記幾つかの溶着部ｊａが形成される部分には、糸ゴム１５がホットメルト接着剤で固定されているが、かかるホットメルト接着剤が存在する部分に超音波溶着処理を行うと、同接着剤による潤滑作用に基づいて超音波溶着処理の摩擦発熱が抑制されてしまう。よって、溶着処理が進行し難くなって、結果、上記溶着部ｊａの強度が低くなる。
【００７７】
他方で、仮に、糸ゴム１５，１５…を腹側部１１ａ及び背側部１１ｂに溶着で固定している場合には、同図１０に示すように、側端部１１ｅｓにおいて糸ゴム１５が位置しない部分に形成された溶着部ｊｂの強度の方が、糸ゴム１５が位置している部分に形成された溶着部ｊａの強度よりも低くなる。そのため、この場合には、引き裂き性の観点からは、側端部１１ｅｓにおいて糸ゴム１５が位置しない部分に溶着部ｊｂを形成するのが、好ましい。ちなみに、糸ゴム１５が位置しない部分に形成した溶着部ｊｂの強度が低くなる理由については、次の通りである。
先ず、溶着部ｊ，ｊ…の形成は、不図示の一対の挟み込み部材を用いてなされる。すなわち、一方の挟み込み部材は、溶着パターンに対応した複数の突部を有し、他方の挟み込み部材は、突部を受ける平面を有し、そして、一方の挟み込み部材の突部と他方の挟み込み部材の平面とが対向するように配置しながら、側端部１１ｅｓが縦方向の全長に亘ってこれら挟み込み部材に前後方向の両側から挟み込まれることによって複数の溶着部ｊ，ｊ…が形成される。ここで、上記側端部１１ｅｓのうちで糸ゴム１５が位置しない部分は、糸ゴム１５が位置する部分と比べて、糸ゴム１５の分だけ挟み込み方向たる上記前後方向の厚さが薄くなっている。そのため、上記一対の挟み込み部材による挟み込み時には、厚さが薄い分だけ付与される挟圧力が小さくなって溶着が進行し難くなり、その結果として、糸ゴム１５が位置しない部分に形成された溶着部ｊｂの強度は低くなる。
【００７８】
図１１は、溶着パターンの変形例の説明図である。前述の実施形態では、図６に示すように、側端部１１ｅｓの縦方向の全長に亘って同じパターンで溶着部ｊ，ｊ…が形成されていたが、何等これに限らない。例えば、この変形例では、側端部１１ｅｓは、縦方向に関して上下二つの領域Ａｕ，Ａｄに区分されており、そして、上側の領域Ａｕと下側の領域Ａｄとで互いに異なる溶着パターンに基づいて溶着部ｊ，ｊ…が形成されている。以下、上側の領域Ａｕのことを「上側領域Ａｕ」と言い、下側の領域Ａｄのことを「下側領域Ａｄ」と言う。
【００７９】
図１１に示すように、上側領域Ａｕは、側端部１１ｅｓの上端部１１ｅｓｕを起端として下方に側端部１１ｅｓの全長の略３分の２の長さを有し、他方、下側領域Ａｄは、側端部１１ｅｓの下端部１１ｅｓｄを起端として上方に側端部１１ｅｓの全長の略３分の１の長さを有している。そして、上側領域Ａｕの溶着パターンは、前述の溶着パターン（図６）と同じであるが、下側領域Ａｄの溶着パターンについては、前述の溶着パターン（図６）とは異なっている。よって、以下では、下側領域Ａｄの溶着パターンについてのみ説明し、上側領域Ａｕの溶着パターンの説明については省略する。
【００８０】
図１１に示すように、下側領域Ａｄも、横方向に並んで内側領域Ａｉｎと中領域Ａｍｉｄと端領域Ａｏｕｔとを有している。そして、内側領域Ａｉｎには、第１溶着部ｊ１に類似した複数の第５溶着部ｊ５，ｊ５…が縦方向に所定の配置ピッチで形成され、中領域Ａｍｉｄには、第２溶着部ｊ２に類似した複数の第６溶着部ｊ６，ｊ６…と、第３溶着部ｊ３に類似した複数の第７溶着部ｊ７，ｊ７…とが縦方向に所定の配置ピッチに交互に形成され、そして、端領域Ａｏｕｔには、第４溶着部ｊ４に類似した複数の第８溶着部ｊ８，ｊ８…が縦方向に所定の配置ピッチで形成されており、更に、これら第５乃至第８溶着部ｊ５，ｊ６，ｊ７，ｊ８の何れも、前述の第１乃至第４溶着部ｊ１，ｊ２，ｊ３，ｊ４と同様に、平行四辺形形状の底面を有している。
【００８１】
ここで、内側領域Ａｉｎの第５溶着部ｊ５は、横方向の外側に進むに従って縦方向の下方に変位するように傾斜している。よって、上側領域Ａｕの第１溶着部ｊ１と同様の作用効果を奏する。但し、この変形例では、引き裂け性を若干犠牲にして、着用時の脚回り開口部１ＨＬを起点とした側端部１１ｅｓの引き裂け防止を優先させる観点から、下側領域Ａｄにおいて縦方向に隣り合う第５溶着部ｊ５，ｊ５同士の間の隙間の縦方向の大きさは、上側領域Ａｕにおいて縦方向に隣り合う第１溶着部ｊ１，ｊ１同士の間の隙間の縦方向の大きさよりも小さくされている。
【００８２】
また、中領域Ａｍｉｄの第６溶着部ｊ６は、横方向の外側に進むに従って縦方向の下方に変位するように傾斜しており、よって、上側領域Ａｕの第２溶着部ｊ２と同様の作用効果を奏する。更に、中領域Ａｍｉｄの第７溶着部ｊ７は、横方向の外側に進むに従って縦方向の上方に変位するように傾斜しており、よって、上側領域Ａｕの第３溶着部ｊ３と同様の作用効果を奏する。但し、上述した観点に基づいて、下側領域Ａｄにおいて縦方向に隣り合う第６溶着部ｊ６と第７溶着部ｊ７との間の隙間の縦方向の大きさは、上側領域Ａｕにおいて縦方向に隣り合う第２溶着部ｊ２と第３溶着部ｊ３との間の隙間の縦方向の大きさよりも小さくされている。
【００８３】
また、端領域Ａｏｕｔの第８溶着部ｊ８は、横方向の外側に進むに従って縦方向の上方に変位するように傾斜している。よって、上側領域Ａｕの第４溶着部ｊ４と同様の作用効果を奏する。但し、上述した観点に基づいて、下側領域Ａｄにおいて縦方向に隣り合う第８溶着部ｊ８，ｊ８同士の間の隙間の縦方向の大きさは、上側領域Ａｕにおいて縦方向に隣り合う第４溶着部ｊ４，ｊ４同士の間の隙間の縦方向の大きさよりも小さくされている。
【００８４】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８５】
上述の実施形態では、第１乃至第８溶着部ｊ１，ｊ２，…，ｊ８の各底面の形状の一例として横長の平行四辺形を示したが、何等これに限らない。例えば、横長の矩形形状でも良いし、横長の長円形状でも良いし、これら以外の形状でも良い。
【００８６】
上述の実施形態では、平行四辺形形状の底面を有した溶着部ｊ（ｊ１，ｊ２，…，ｊ８）を例示した関係上、胴回り開口部１ＨＢ側又は脚回り開口部１ＨＬ側に有する傾斜形状の部分の一例として、当該平行四辺形における上辺部又は下辺部を例示した。つまり、直線状に傾いた傾斜形状の部分を例示したが、何等これに限らない。例えば、溶着部は、上述の直線状に傾いた傾斜形状の部分に代えて、曲線状に傾いた傾斜形状の部分を有していても良い。
【００８７】
上述の実施形態では、図３Ａに示すように、第１部品としての吸収性本体３を非肌側から第２部品としての平面視略砂時計形状の外装シート１１で覆ってなる２ピースタイプのおむつ１を例示したが、何等これに限らない。例えば、本発明に係る前述の溶着部ｊ（ｊ１，ｊ２，…，ｊ８）を、所謂３ピースタイプのおむつ１ａに対して形成しても良い。詳しくは次の通りである。
先ず、図１２に示すように、同おむつ１ａは、第１部品として着用者の股間に配される吸収性本体３を有し、第２部品として同着用者の腹側に配される腹側帯部材２１ａを有し、第３部品として同着用者の背側に配される背側帯部材２１ｂを有している。また、図１２の展開状態では、腹側帯部材２１ａと背側帯部材２１ｂとが互いの間に間隔をあけて平行に並んだ状態で、これらの間に吸収性本体３が掛け渡されつつ、同吸収性本体３の長手方向の各端部３ｅａ，３ｅｂがそれぞれ最寄りの帯部材２１ａ，２１ｂに接合固定されており、その外観形状は平面視略Ｈ形状をなしている。そして、この展開状態から、吸収性本体３が長手方向の略中央部で二つ折りされるとともに、この二つ折りの状態において互いに重ね合わせられる帯部材２１ａ，２１ｂ同士が、上記長手方向と直交する幅方向（横方向に相当）の各端部２１ｅｓにて溶着されると、これら帯部材２１ａ，２１ｂ同士が環状に繋がって、これにより、胴周り開口部及び一対の脚周り開口部が形成されたおむつ１ａとなる。そして、かかる溶着に対しても、前述の溶着部ｊ（ｊ１，ｊ２，…，ｊ８）を適用可能である。なお、各帯部材２１ａ，２１ｂは、熱可塑性樹脂繊維を含む不織布等の柔軟なシートを材料として形成される。また、吸収性本体３の構成は、前述したものと概ね同じであるので、その説明については省略する。
【符号の説明】
【００８８】
１  おむつ（吸収性物品）、１ａ  おむつ（吸収性物品）、
１ＨＢ  胴回り開口部、１ＨＬ  脚回り開口部、
３  吸収性本体、３ｅａ  端部、３ｅｂ  端部、
３ｃ  吸収性コア、４  トップシート、５  防漏シート、
１１  外装シート、
１１ＨＢａ  胴回り開口部となる端縁部、１１ＨＢｂ  胴回り開口部となる端縁部、
１１ａ  腹側部、１１ｂ  背側部、１１ｃ  股下部、
１１ｅｓ  側端部（端部）、１１ｅｓ１  縁部
１１ｅｓｕ  上端部、１１ｅｓｄ  下端部、
１２  本体シート、１２ａ  腹側部、１２ｂ  背側部、１２ｃ  股下部、
１２ｅＬａ  端縁部、１２ｅＬｂ  端縁部、
１３ａ  腹側部外面シート、１３ａｋ  折り返し部、１３ａｐ  飛び出した部分、
１３ｂ  背側部外面シート、１３ｂｋ  折り返し部、１３ｂｐ  飛び出した部分、
１５  糸ゴム（弾性部材）、
２１ａ  腹側帯部材、２１ｂ  背側帯部材、２１ｅｓ  端部、
Ａｕ  上側領域、Ａｄ  下側領域、
Ｇａ  広い隙間、Ｇｂ  狭い隙間、
ｊ  溶着部、
ｊ１  第１溶着部、ｊ１ｕ  上辺部（傾斜形状の部分）、ｊ１ｄ  下辺部、
ｊ２  第２溶着部、ｊ２ｕ  上辺部（傾斜形状の部分）、
ｊ２ｄ  下辺部（傾斜形状の部分）、
ｊ３  第３溶着部、ｊ３ｕ  上辺部（傾斜形状の部分）、ｊ３ｄ  下辺部、
ｊ４  第４溶着部、ｊ４ｕ  上辺部（傾斜形状の部分）、ｊ４ｄ  下辺部、
ｊ５  第５溶着部、ｊ６  第６溶着部、ｊ７  第７溶着部、ｊ８  第８溶着部、
ｊ１２  溶着部、ｊ３４  溶着部、
ｊａ  溶着部、ｊｂ  溶着部、
Ａｉｎ  内側領域、Ａｍｉｄ  中領域（外側領域）、Ａｏｕｔ  端領域（外側領域）、
Ａ２３  先細り形状の領域、
【図１】
0005895019.tif 000002
【図２】
0005895019.tif 000003
【図３】
0005895019.tif 000004
【図４】
0005895019.tif 000005
【図５】
0005895019.tif 000006
【図６】
0005895019.tif 000007
【図７Ａ】
0005895019.tif 000008
【図７Ｂ】
0005895019.tif 000009
【図８】
0005895019.tif 000010
【図９】
0005895019.tif 000011
【図１０】
0005895019.tif 000012
【図１１】
0005895019.tif 000013
【図１２】
0005895019.tif 000014